(57)【要約】  燃料／酸化剤の混合物をバーナーに供給するためのファン用ファンハウジングは、供給開口（２２）と、供給開口に延びている流体供給空間（２６）と、流体状燃料を供給するための第１の供給手段（２８）と、酸化流体を供給するための第２の供給手段（５２）と、を備えており、流体供給空間は、流体状燃料と酸化流体とを混合するための混合手段（５４）を備えており、供給開口は、流体供給空間における流体の供給方向に対して傾斜して位置している。
2013514517.tif 000002
【特許請求の範囲】
【請求項１】
燃料／酸化剤の混合物をバーナーに供給するためのファン用ファンハウジング（１０）において、
供給開口（２２）と、
前記供給開口（２２）に延びている流体供給空間（２６）と、
流体状燃料を供給するための第１の供給手段（２８）と、
酸化流体を供給するための第２の供給手段（５２）と、
を備えており、
前記流体供給空間は、前記流体状燃料と前記酸化流体とを混合するための混合手段（５４）を備えており、
前記供給開口（２２）は、前記流体供給空間（２６）における前記流体の供給方向に対して傾斜して位置していることを特徴とする、ファンハウジング。
【請求項２】
前記混合手段は、ベンチュリー（５４）から構成されていることを特徴とする、請求項１に記載のファンハウジング。
【請求項３】
前記供給開口（２２）は、前記流体供給空間（２６）における前記流体の供給方向を横切って配置されていることを特徴とする、請求項１または２に記載のファンハウジング。
【請求項４】
前記第２の供給手段（５２）は、前記第１の供給手段（２８）内に配置されており、前記第１の供給手段（２８）の流れ方向に位置しており、前記第２の供給手段（５２）は、前記第１の供給手段（２８）内に延びており、前記第１の供給手段（２８）は、前記第２の供給手段（５２）の口の近くに狭幅部を備えていることを特徴とする、請求項２または３に記載のファンハウジング。
【請求項５】
前記第２の供給手段（５２）の口またはその近くおいて、流体が前記第１の供給手段（２８）の主流れ方向を横切って流れるのを妨げるために、前記第２の供給手段（５２）またはその近くにおいて、障害物（５６）が、前記第２の供給手段（５２）の周壁の一部を超えて、前記口からいくらか離れた位置まで下流方向に延在していることを特徴とする、請求項４に記載のファンハウジング。
【請求項６】
前記突出している障害物（５６）は、前記第２の供給手段（５２）の壁の延長部であることを特徴とする、請求項５に記載のファンハウジング。
【請求項７】
前記第２の供給手段（５２）および前記混合手段（５４）は、前記流体供給空間（２６）内に配置可能なインサート（５０）から形成されていることを特徴とする、請求項１〜６のいずれかに記載のファンハウジング。
【請求項８】
請求項７に記載のインサート（５０）。
【請求項９】
流体をファンハウジング（１０）に供給するための供給装置（２０）において、
前記ファンハウジング（１０）の供給側を閉鎖するための閉鎖部と、
流体を供給するための流体供給空間（２６）であって、供給開口（２２）によって前記閉鎖部のファン側に繋がっている、流体供給空間（２６）と、
流体状燃料を供給するための第１の供給手段（２８）と、
酸化流体を供給するための第２の供給手段（５２）と、
を備えており、
前記流体供給空間（２６）は、前記流体状燃料と前記酸化流体とを混合するための混合手段（５４）を備えており、
前記供給開口（２２）は、前記流体供給空間（２６）における流体の供給方向に対して傾斜して位置していることを特徴とする、供給装置。
【請求項１０】
請求項１〜７のいずれかに記載のファンハウジング（１０）に用いられる、請求項９に記載の供給装置。
【請求項１１】
請求項１〜７のいずれかに記載のファンハウジング（１０）、もしくは請求項９または１０に記載の供給装置（２０）を備えるファンハウジング（１０）を備えている、加熱器具。
【請求項１２】
請求項１〜７のいずれかに記載のファンハウジング（１０）、もしくは請求項９または１０に記載の供給装置（２０）を備えるファンハウジング（１０）を備えている、温水器具。
【請求項１３】
水道水および集中暖房水を加熱するためのコンビボイラーであって、請求項１〜７のいずれかに記載のファンハウジング（１０）、もしくは請求項９または１０に記載の供給装置（２０）を備えるファンハウジング（１０）を備えている、コンビボイラー。
【請求項１４】
流体状燃料を酸化流体と共にファンに供給するための方法において、
ベンチュリー（５４）を通して流体状燃料に案内するステップと、
前記ベンチュリー（５４）またはその近くに酸化流体を供給するステップであって、これによって、前記酸化流体は、ベンチュリー効果によって引き込まれ、前記流体状燃料と混合するようになっている、ステップと、
前記燃料と前記酸化流体との混合物をファンに対して傾斜して供給するステップであって、前記ファンは、前記混合物をバーナー空間内に吹き込むようになっている、ステップと、
を含んでいることを特徴とする、方法。
【発明の詳細な説明】
【技術分野】
【０００１】
本発明は、燃料／酸化物の混合物をバーナーに供給するためのファン用ファンハウジングに関する。
【０００２】
本発明は、このようなファンハウジング用のインサートにさらに関する。
【０００３】
本発明は、このようなファンハウジング用の供給装置にも関する。
【０００４】
本発明は、このようなファンハウジングを備える加熱器具にも関する。
【０００５】
本発明は、このようなファンハウジングを備える温水器具にも関する。
【０００６】
本発明は、このようなファンハウジングを備えるコンビボイラーにも関する。
【０００７】
本発明は、流体状燃料を酸化流体と共にファンに供給するための方法にも関する。
【背景技術】
【０００８】
先行技術において用いられているようなバーナーは、騒音を生じるが、この騒音発生は、所謂、熱音響挙動によって、その大半が決定される。熱音響挙動は、バーナー自体のみならず、バーナーの上流の要素、およびそれほどではないにせよ、バーナーの下流の要素によっても影響される。熱音響挙動に影響を与える要素の１つは、燃料／空気の混合物をバーナー内に送り込むファンである。
【発明の概要】
【発明が解決しようとする課題】
【０００９】
本発明の目的は、先行技術と比較して改良された熱音響挙動をもたらす加熱器具を提供することにある。
【課題を解決するための手段】
【００１０】
この目的のために、本発明は、燃料／酸化剤の混合物をバーナーに供給するためのファン用ファンハウジングであって、供給開口と、供給開口に延びている流体供給空間と、流体状燃料を供給するための第１の供給手段と、酸化流体を供給するための第２の供給手段と、を備えており、流体供給空間は、流体状燃料と酸化流体とを混合するための混合手段を備えており、供給開口は、流体供給空間における流体の供給方向に対して傾斜して位置している、ファンハウジングを提供している。
【００１１】
好ましい実施形態では、燃料は、天然ガスからなっており、酸化流体は、空気からなっている。代替的実施形態では、燃料は、メタン、プロパン、および／またはブタンからなっている。
【００１２】
本出願人による測定によれば、燃料／酸化剤の混合物が、ファンのブレード空間内に移動する前に、流れ方向の著しい偏向を受けると、バーナーの熱音響挙動が、騒音発生が減少するという意味において、良好な影響を受けることが明らかになっている。
【００１３】
このファンハウジングを提供することによって、先行技術による加熱器具と比較して改良された熱音響挙動をもたらす加熱器具が、該ファンハウジングを加熱器具内に適用することによって、得られることになる。
【００１４】
好ましい実施形態では、ファンハウジングであって、混合手段がベンチュリーから構成されている、ファンハウジングが提供されている。このベンチュリーによって、減圧がベンチュリーの近くおよびベンチュリーの下流に生じ、これによって、酸化流体が、第２の供給手段から引き込まれ、燃料と混合されることになる。追加的な利点は、ベンチュリーおよびファンハウジングがここでは一体化されているので、よりコンパクトなアセンブリが得られることである。先行技術による加熱器具では、ファンハウジングおよびベンチュリーは、対照的に、個別の構成部品として実施されている。
【００１５】
さらに好ましい実施形態では、本発明は、ファンハウジングであって、供給開口が流体供給空間における流体の供給方向を横切って配置されている、ファンハウジングを提供している。出願人による測定によれば、供給開口の横断配置は、バーナーの熱音響挙動に特に好ましい影響を及ぼすことが明らかになっている。
【００１６】
さらに有利な実施形態では、ファンハウジングであって、第２の供給手段は、第１の供給手段内に配置されており、第１の供給手段の流れ方向に位置しており、第２の供給手段は、第１の供給手段内に延びており、第１の供給手段は、第２の供給手段の口の近くに狭幅部を備えている、ファンハウジングが提供されている。第２の供給手段の口の近くの狭幅部が、ベンチュリーを形成している。ベンチュリーが第１の供給手段内に配置された第２の供給手段に配置されており、このアセンブリがファンハウジングと一体に形成されているので、特にコンパクトな構造が得られることになる。これによって、先行技術におけるよりも好ましい熱音響挙動をもたらすのみならず、よりコンパクトな加熱器具が得られることになる。
【００１７】
極めて有利な実施形態では、本発明は、ファンハウジングであって、第２の供給手段の口またはその近くにおいて、流体が第１の供給手段の主流れ方向を横切って流れるのを妨げるために、第２の供給手段またはその近くにおいて、障害物が、第２の供給手段の周壁の一部を超えて、口からいくらか離れた位置まで下流方向に延在している、ファンハウジングを提供している。
【００１８】
ここでも、出願人による測定によって、この障害物の配置がこのようなファンハウジングを備える加熱器具の熱音響挙動に良好な影響を与えることが明らかになっている。特にファンの下流、例えば、燃焼排ガスの放出経路に滞留が生じたとき、障害物が熱音響挙動に対して良好な貢献をもたらすことになる。このような滞留が生じると、循環減圧がファンハウジングの供給開口の位置に生じる。障害物は、この循環流体流れを阻止し、第２の供給手段の口の位置に局部的な増圧をもたらし、これによって、ガス供給が停止する。その結果、先行技術におけるよりも良好な熱音響挙動が得られることになる。
【００１９】
熱音響挙動に対する障害物の良好な影響は、ファンハウジングの供給開口が流体供給空間における流体の供給方向に対して傾斜しているという事実とは無関係である。障害物および傾斜の各々は、熱音響挙動に良好な影響を及ぼし、互いに無関係に実施することができる。
【００２０】
好ましい実施形態では、本発明は、ファンハウジングであって、突出する障害物が第２の供給手段の壁の延長部である、ファンハウジングを提供している。障害物は、このようにして、簡単に形成することができる。
【００２１】
有利な実施形態では、本発明は、ファンハウジングであって、第２の供給手段および混合手段が流体供給空間内に配置可能なインサートから形成されている、ファンハウジングを提供している。第２の供給手段および混合手段をインサートとして実施することによって、先行技術と比較してコンパクトなアセンブリが得られ、また種々の容量の種々の形式の加熱器具に対してインサートのみを変更し、ファンハウジングの残りを単一の実施形態によって製造することによって、加熱器具の設計容量に対して、ファンハウジングを簡単に変更する選択枝も得られることになる。
【００２２】
また、本発明は、このようなインサートも提供している。
【００２３】
代替的実施形態では、本発明は、流体をファンハウジングに供給するための供給装置であって、ファンハウジングの供給側を閉じるための閉鎖部と、流体を供給するための流体供給空間であって、供給開口によって閉鎖部のファン側に繋がっている、流体供給空間と、流体状燃料を供給するための第１の供給手段と、酸化流体を供給するための第２の供給手段と、を備えており、流体供給空間は、流体状燃料と酸化流体とを混合するための混合手段を備えており、供給開口は、流体供給空間において流体の供給方向に対して傾斜して位置している、供給装置を提供している。
【００２４】
流体状燃料と酸化流体との混合物がファンハウジングに傾斜して供給されるファンハウジングの代替例として、本発明は、供給装置のみが設けられており、該供給装置が、ファンハウジングの供給側に配置されている実施形態を提供している。特定の実施形態では、供給装置は、ファンハウジングのカバーとして実施されている。
【００２５】
一実施形態では、本発明は、このようなファンハウジングまたはこのような供給装置を備えるファンハウジングを備えている加熱器具をさらに提供している。
【００２６】
さらに他の実施形態では、本発明は、このようなファンハウジングまたはこのような供給装置を備えるファンハウジングを備えている温水器具も備えている。
【００２７】
さらに他の実施形態では、本発明は、水道水および集中暖房水を加熱するためのコンビボイラーであって、このようなファンハウジングまたはこのような供給装置を備えるファンハウジングを備えている、コンビボイラーも提供している。
【００２８】
本発明による他の態様によれば、流体状燃料を酸化流体と共にファンに供給するための方法であって、ベンチュリーを通して流体状燃料に案内するステップと、ベンチュリーまたはその近くに酸化流体を供給するステップであって、酸化流体は、ベンチュリー効果によって引き込まれ、流体状燃料と混合されるようになっている、ステップと、燃料および酸化流体の混合物をファンに対して傾斜して供給するステップであって、ファンは、混合物をバーナー空間内に吹き込むようになっている、ステップとを含んでいる方法が提供されている。
【００２９】
以下、図面を参照して、本発明のさらなる実施形態および利点について検討する。
【図面の簡単な説明】
【００３０】
【図１Ａ】本発明による供給装置が内部に配置されているファンハウジングの一部を切欠いた斜視図である。
【図１Ｂ】図１Ａのファンハウジングの分解斜視図である。
【図１Ｃ】図１Ａおよび図１Ｂのファンハウジングの図１Ａおよび図１Ｂに対する後側を示す斜視図である。
【図２】本発明による供給装置の正面図である。
【図３】図２の供給装置の斜視図である。
【図４】図２の供給装置の第２の斜視図である。
【発明を実施するための形態】
【００３１】
ファンハウジング１０（図１）は、本発明による供給装置２０を備えている。供給装置２０は、ファンハウジング１０の供給側に配置されたカバーとして実施されている。ファンハウジング１０は、本体３０と、ガス／空気混合物をバーナーに案内するための放出導管４２とを備えている。
【００３２】
天然ガスが、供給導管２８を介して供給されるようになっており、この供給導管２８内に、ベンチュリー５４を備えるインサート５０が配置されている。ベンチュリー５４は、天然ガス供給導管２８内におけるベンチュリーの下流に減圧を生じさせるものである。この減圧によって、空気が空気供給導管５２から引き込まれ、これによって、流体供給空間２６内において天然ガスと空気との混合が生じる。なお、図１Ａでは、流体供給空間２６の外壁２４の一部が切り欠かれている。カバー２０内に凹んでいるのは、供給開口２２である。この供給開口２２を通して、天然ガス／空気の混合物が、ファンハウジング１０内に流れる。ファンの回転によって、供給開口２２の位置に減圧が生じ、この減圧によって、天然ガス／空気が流体供給空間からファンハウジング１０内に流れることになる。天然ガス／空気の混合物が供給開口２２を介してファンハウジング１０内に流れる瞬間に、供給開口２２が流体供給空間２６における主流れ方向を横断して配置されていることによって、ガス流が著しく偏向されることになる。過圧が放出導管４２に生じ、これによって、天然ガス／空気の混合物は、放出導管４２を介してバーナー内に流れることになる。
【００３３】
図２は、図１のものと同様のファンハウジングカバーを示している。この図では、流体供給空間の壁２４は、下方の構成部品を示すために、省略されている。空気供給導管５２の口の周囲の一部において、インサート５０は、空気供給導管５２の壁の延長部５６を備えている。空気供給導管５２は、延長部５６の位置までさらに延在していないので、天然ガスおよび空気は、この位置において混合可能である。しかし、天然ガス／空気の混合物の横断流れは、ここでは、延長部５６によって阻止されることになる。これがバーナーの熱音響挙動に対して好ましい影響を与えることが分かっている。
【００３４】
図３は、図２のファンハウジングカバー２０を示しているが、ここでは、別の角度から見たファンハウジングカバー２０を示している。カバー２０および流体供給空間２６の一部が、切欠かれている。
【００３５】
図４は、図２のファンハウジングカバー２０を示しているが、ここでも、さらに別の角度から見たファンハウジングカバー２０を示している。図３におけるように、カバー２０および流体供給空間２６の同じ部分が、切欠かれている。
【００３６】
図示され、かつ記載されている実施形態は、本発明の原理を示すため、およびいくつかの有利な実施形態を図示し、または記載するためにのみ、提示されている。本発明は、図示され、かつ記載されている実施形態に制限されるものではない。本発明の範囲内において図示されている実施形態の多くの変更が可能であることは、当業者にとって明らかであろう。すなわち、図示され、または記載されている種々の実施形態を組合せることによっても、本発明による実施形態を支障なく得ることが可能である。従って、保護を受ける範囲は、図示され、かつ記載されている実施形態によって規定されるものではなく、以下の請求項によって規定されることになる。
【図１Ａ】
2013514517.tif 000003
【図１Ｂ】
2013514517.tif 000004
【図１Ｃ】
2013514517.tif 000005
【図２】
2013514517.tif 000006
【図３】
2013514517.tif 000007
【図４】
2013514517.tif 000008
【国際調査報告】
2013514517.tif 000009
2013514517.tif 000010
2013514517.tif 000011